(57)【要約】      （修正有）【課題】郵便物等の受入れ、受入れ拒否ができる郵便受口を提供する。【解決手段】中央に開口を有する本体１と、該本体の内面上方部に水平軸４を介して上下方向に回動して上記開口を開閉可能にとりつけられる蓋２とを有し、上記本体には内面に取付金具３が取り付けられており、該取付金具に上記蓋の内面に係脱して蓋の開閉を可能に、又は阻止する係脱部を有するロックプレートをとりつけて郵便受口を構成する。【選択図】図１０
0003159395.tif 000002
【実用新案登録請求の範囲】
【請求項１】
中央に開口を有する本体と、該本体の内面上方部に水平軸を介して上下方向に回動して上記開口を開閉可能にとりつけられる蓋とを有し、上記本体には内面に取付金具が取り付けられており、該取付金具に上記蓋の内面に係脱して蓋の開閉を可能に、または阻止する係脱部を有するロックプレートをとりつけていることを特徴とする郵便受口。
【請求項２】
中央に開口を有する本体と、該本体の内面上方部に水平軸を介して上下方向に回動して上記開口を開閉可能にとりつけられる蓋とを有し、上記本体には内面両側に取付金具が取り付けられており、この取付金具間にロックプレートを渡して端部当接部を当接し、その端部当接部に形成している所定長さの横長孔にガイド突起を嵌合してロックプレートが左右方向に移動可能に取り付けており、かつロックプレートの連結部にはその長手方向の所定箇所に係合溝部からなる係脱部を形成し、この係合溝部に蓋の下部に形成している係合突片をロックプレートの左右方向の移動に対応して係脱可能に形成して蓋の開閉を可能に、または阻止することを特徴とする郵便受口。
【請求項３】
中央に開口を有する本体と、該本体の内面上方部に水平軸を介して上下方向に回動して上記開口を開閉可能にとりつけられる蓋とを有し、上記本体には内面上方部に取付金具が取り付けられており、この取付金具にロックプレートを左右方向に移動可能に取り付けており、ロックプレートの左右方向の移動に対応してロックプレートの係脱部を蓋の内面に係脱可能に形成して蓋の開閉を可能に、または阻止することを特徴とする郵便受口。
【請求項４】
ロックプレートは主板部に所定長さの横長孔を形成し、この主板部の一端に係脱部を屈曲形成しており、このロックプレートが横長孔に嵌入されたガイド軸ピンを介して左右方向に移動可能に取り付けられていることを特徴とする請求項３記載の郵便受口。
【請求項５】
左右方向に対置しているロックプレートは主板部に所定長さの横長孔を形成し、この主板部の一端に係脱部を屈曲形成しており、このロックプレートが横長孔に嵌入されたガイド軸ピンを介して左右方向に移動可能に取り付けられており、さらに一対のロックプレートはそれぞれ一端が連結部材を介して連結されており、一方のロックプレートの左右方向の移動によって他方のロックプレートが左右方向に移動することを特徴とする請求項３記載の郵便受口。
【考案の詳細な説明】
【技術分野】
【０００１】本考案は郵便受口の改良に関する。
【背景技術】
【０００２】従来郵便受口は公知であり、その構造はつぎのようになっている。
ドア、引き戸、扉など［以下ドアと称す］に取り付けられる郵便受口本体の中央開口部には該本体の上部にとりつけられる回動軸を介して蓋が上下方向に開閉自在にとりつけられる。
しかしてドアの内側に目隠しをとりつけている。
この郵便受口にはハガキや手紙等の小型で薄手のものから大型で厚手の雑誌、週刊誌あるいは新聞や一般広告、チラシなどが投入される。【０００３】上記構造の郵便受口は住居人が常時住んでいる場合には投入された郵便物等はその都度とりいれるので問題はないが、旅行や出張、看病などによる長期間の留守、不在中には郵便物等が堆積し、これがいたずら者、不法者によるいたずら行為、放火行為により被害を蒙るおそれがあった。
ことに空室になっているアパートやマンションは全国に相当数存在するが、上記同様の被害が発生するおそれがあり、アパートやマンションの管理者、所有者には不安が生じていた。なおこれら問題点を解決、阻止するために郵便受口の外側に閉塞板を当てて、郵便受口全体を完全に塞ぐ構造が考えられている。
【考案の概要】
【考案が解決しようとする課題】
【０００４】上記従来の構造は郵便受口を外側から閉塞板を当てて、郵便受口全面を被覆する構造であるのでマンションやアパート等の空家に対して郵便物の投入を完全に阻止するので上記した被害が生じるおそれは解消される。ところが空家から居住宅にする場合には閉塞板を取り外ししなければならず、その閉塞板の取り外し作業、保管作業を必要とし、また郵便受口周辺に止め金具の傷が残存し意匠感を損なう等の煩わしさや、欠点があった。【０００５】さらに又旅行や出張などの理由で長期間留守にする場合にも閉塞板を購入して取り付け、取り外しをすればよいが、不在の時期は年に数回でありマンションやアパートの空家期間に比べてわずかであり、これの購入費用、取り付け、取り外し作業も面倒であった。
【課題を解決するための手段】
【０００６】本考案は上記の問題点を解決している。本考案の特徴はつぎのとおりである。
その一は「中央に開口を有する本体と、該本体の内面上方部に水平軸を介して上下方向に回動して上記開口を開閉可能にとりつけられる蓋とを有し、上記本体には内面に取付金具が取り付けられており、該取付金具に上記蓋の内面に係脱して蓋の開閉を可能に、または阻止する係脱部を有するロックプレートをとりつけていることを特徴とする郵便受口」である。【０００７】その二は「中央に開口を有する本体と、該本体の内面上方部に水平軸を介して上下方向に回動して上記開口を開閉可能にとりつけられる蓋とを有し、上記本体には内面両側に取付金具が取り付けられており、この取付金具間にロックプレートを渡して端部当接部を当接し、その端部当接部に形成している所定長さの横長孔にガイド突起を嵌合してロックプレートが左右方向に移動可能に取り付けており、かつロックプレートの連結部にはその長手方向の所定箇所に係合溝部からなる係脱部を形成し、この係合溝部に蓋の下部に形成している係合突片をロックプレートの左右方向の移動に対応して係脱可能に形成して蓋の開閉を可能に、または阻止することを特徴とする郵便受口」である。【０００８】その三は「中央に開口を有する本体と、該本体の内面上方部に水平軸を介して上下方向に回動して上記開口を開閉可能にとりつけられる蓋とを有し、上記本体には内面上方部に取付金具が取り付けられており、この取付金具にロックプレートを左右方向に移動可能に取り付けており、ロックプレートの左右方向の移動に対応してロックプレートの係脱部を蓋の内面に係脱可能に形成して蓋の開閉を可能に、または阻止することを特徴とする郵便受口」である。【０００９】その四は「上記構成においてロックプレートは主板部に所定長さの横長孔を形成し、この主板部の一端に係脱部を屈曲形成しており、このロックプレートが横長孔に嵌入されたガイド軸ピンを介して左右方向に移動可能に取り付けられていることを特徴とする郵便受口」である。【００１０】その五は「その三の構成において左右方向に対置しているロックプレートは主板部に所定長さの横長孔を形成し、この主板部の一端に係脱部を屈曲形成しており、このロックプレートが横長孔に嵌入されたガイド軸ピンを介して左右方向に移動可能に取り付けられており、さらに一対のロックプレートはそれぞれ一端が連結部材を介して連結されており、一方のロックプレートの左右方向の移動によって他方のロックプレートが左右方向に移動することを特徴とする郵便受口」である。
【考案の効果】
【００１１】本考案の郵便受口は本体の内面に水平軸を介して開閉可能に蓋を取り付けてあり、また本体の内面にとりつけている取付金具にロックプレートが取り付けてあり、このロックプレートが、その係脱部が蓋の内面に係脱可能に、言わば蓋がロックプレートの係脱部に係合して開閉できない状態、ロックされている状態あるいは蓋が係脱部から離脱して開閉できる状態、ロックされていない状態になるように構成されている。
よって通常の居住状態であれば、ロックプレートの係脱部を蓋の内面から離脱してロックを解除して蓋を開閉可能にして郵便物等を受入れできる。あるいは空家、長期不在時であればロックプレートをロックして蓋の開閉を阻止して郵便物の投入を阻止できる。それゆえに従来の郵便受口に比べて構造が極めて簡単であり、蓋の開閉可能、開閉阻止はロックプレートを左右方向にスライドする等の操作によってできるので極めて簡単であり、従来のような閉塞板が不要となり、それの取り付け、とり外し作業も不要になる。
しかも従来の郵便受口であれば郵便受口の外側に閉塞板を当てるので目視で不在であることが認識でき防犯の点から不利であるが、本考案の郵便受口であれば閉塞板がないので目視では居住か不在かの判別ができないので防犯効果が高いなど実用価値大である。
【図面の簡単な説明】
【００１２】
【図１】本考案郵便受口の一実施例を示す本体の略正面図。
【図２】Ａは同じく蓋の略正面図、ＢはＡのＸ−Ｘ断面図。
【図３】Ａは同じく取付金具の拡大略平面図、ＢはＡのＸ−Ｘ断面図、Ｃは略正面図。
【図４】同じく水平軸の拡大略正面図。
【図５】同じくスプリングの拡大略正面図。
【図６】Ａは同じくロックプレートの略平面図、ＢはＡのＸ−Ｘ断面図、ＣはＡのＹ−Ｙ断面図、Ｄは略底面図。
【図７】同じくロックつまみの拡大略正面図。
【図８】同じくロックねじの拡大略正面図。
【図９】Ａは同じく目隠しの略正面図、ＢはＡのＸ−Ｘ断面図。
【図１０】同じく本考案郵便受口の組立状態を示し、蓋がロックされている状態の略正面図。
【図１１】同じく蓋がロックされていない状態の略正面図。
【図１２】同じく組立状態の略側面図。
【図１３】本考案郵便受口の別の実施例を示す取付金具であり、Ａは略正面図、Ｂは略側面図、Ｃは略底面図。
【図１４】Ａは同じくロックプレートの略正面図、Ｂは略側面図、Ｃは略底面図。
【図１５】Ａは同じく蓋の略正面図、ＢはＡのＸ−Ｘ略断面図。
【図１６】同じく組立状態を示し、Ａは蓋がロックされている状態の略正面図、Ｂは略側面図、Ｃは略底面図。
【図１７】同じく蓋がロックされていない状態の略正面図。
【図１８】本考案郵便受口のさらに別の実施例を示す取付金具であり、Ａは略正面図、Ｂは略側面図、Ｃは略底面図。
【図１９】Ａは同じくロックプレートの略正面図、Ｂは略側面図、Ｃは略底面図。
【図２０】図１９に示すロックプレートと対をなすロックプレートを示し、Ａは略正面図、Ｂは略側面図、Ｃは略底面図。
【図２１】Ａは同じく蓋の略正面図、ＢはＡのＸ−Ｘ略断面図。
【図２２】同じく組立状態を示し、Ａは蓋がロックされていない状態の略正面図、Ｂは略底面図。
【考案を実施するための形態】
【００１３】本考案について実施例を図面を用いて説明する。図１から図１２は１実施例を示す。
図１、図２において、１は郵便受口の本体で、断熱シートを内張りしている。中央に開口１ａを有している。２は蓋で、本体の内面上方部に水平軸を介して上下方向に回動して上記開口を開閉可能にとりつけられる。２ａは水平軸の係合支持部、２ｂはスプリングの係合凹部、２ｃはロックプレートの係合溝部に係合して蓋の開閉を阻止する係合突片で蓋の下部に形成している。
【００１４】図３において、３は蓋の内面にとりつけられる取付金具である。該取付金具はロックプレートの端部当接部が当接する受部３ａを箱型に起立しており、その両側に取付支持部３ｂを形成している。この取付支持部を本体の両側にプロゼクション溶接して取り付けている。
この取付支持部の上端に上記係合支持部２ａと対設して水平軸を支承する係合支持部３ｃを一体に形成している。係合支持部３ｃは取付金具と分離して形成してもよい。３ｆは溶接用の突部である。
３ｄはガイド突起で、バーリング加工でねじ部を形成している。このねじ部にロックねじが螺着される。３ｅもねじ部でバーリング加工で形成している。このねじ部にドアの内側から止めネジがあてがわれて郵便受口をドアにとりつける。
【００１５】図４、図５において４は水平軸、５はスプリングを示す。図１０、図１１の組立図に示しているとおり、水平軸４には中央部にスプリング５が取り付けられており、両端が係合支持部２ａ、３ａによって係合支持されている。蓋はスプリングに付勢されて開閉する。
【００１６】図６、図７において６は上記取付金具にとりつけられるロックプレートを示す。ロックプレート６は長尺の連結部６ａの両端に端部当接部６ｂ、６ｂを形成している。この端部当接部が取付金具にかぶさるように取り付けられる。
連結部６ａには長手方向の所定箇所に係合溝部６ｄを形成している。この係合溝部に蓋の下端に形成している係合突片がロックプレートの左右方向のスライドに対応して係合、あるいは脱離するように形成している。６ｆは脚片である。この脚片がロックプレートの左右方向のスライドによって蓋の内面に係合または脱離し、よって蓋のロック、解除の作用をする。６ｃは所定長さの横長孔で端部当接部に形成している。係合溝部６ｄは図面では一端側に１個形成しているが、複数個たとえば中央に、あるいは他端側に形成してもよい。６ｅはロックつまみの取付孔である。図７に示すロックつまみ７の一端が取付孔に嵌合してかしめ止され、ロックつまみが端部当接部に起立状態でとりつけられる、
【００１７】図８はロックねじを示す。ロックねじ８は取付金具の受部３ａに当接されるロックプレートの端部当接部に形成されている横長孔６ｃに嵌入されているねじ部３ｄに螺合される。しかしてロックプレートは横長孔の所定間隔を持って左右方向にスライド可能に、つまり移動可能に保持される。
【００１８】図９は目隠しを示す。目隠しは公知である。本考案の目隠し９は取付けフランジ９ａに横長孔９ｂを形成している。この横長孔にロックつまみが突出し、つまみの操作によってロックプレートを左右にスライド可能にしている。９ｃはねじボルトの挿通孔でる。
【００１９】図１０は本考案郵便受口の上記した各部材による組立状態を示し、蓋がロックされているときの略正面図である。中央に開口を有する本体１と、該本体の内面上方部に水平軸４を介して上下方向に回動して開口を開閉可能にとりつけられる蓋２とを有し、上記本体には内面両側に取付金具３がとりつけられている。取付金具はロックプレート６の端部当接部６ｂを当接し、その端部当接部に形成している横長孔６ｃにガイド突起［バーリング加工によるねじ部３ｄ］を嵌合してロックプレートが左右方向にスライド可能にとりつけられている。
【００２０】さらにロックプレートの連結部６ａには長手方向の所定箇所［図面では左端側］に係合溝部６ｄを形成し、この係合溝部に蓋の下部に形成している係合突片２ｃを係合している。言わば蓋はロック状態であり、開けられない。さらにこの実施例ではロックプレートの右方の端部当接部に形成している脚片６ｆが蓋の内面に対設して位置しており、蓋に係合してロックする作用をしている。
【００２１】図１１は蓋がロックされていないときの略正面図である。ロックプレートが右方向にスライドしている。この状態で蓋２の係合突片２ｃがロックプレートの連結部６ａに形成している係合溝部６ｄから離脱している。またロックプレートの右方の端部当接部６ｂに形成している脚片６ｆが蓋の内面より右方、言わば外側に移動しており蓋から離脱している。よって蓋２が内側に開閉可能である。
【００２２】図１２は郵便受口の組立状態の略側面図である。ドアに形成している開口の外側に郵便受口が当接され、ドアの内側に目隠しをあてがって該目隠しのフランジを貫通してねじボルト１０を取付金具３のねじ部３ｅに螺合して郵便受口ならびに目隠しをドアにとりつけている。
【００２３】図１３から図１７は本考案郵便受口の別の実施例を示す。
図１３において１１は取付金具を示す。該取付金具が本体の内面上方部に取り付けられる。
この取付金具にロックプレートが左右方向に移動可能にとりつけられる。１１ａは本体への取付部で溶接にてとりつけられる。１１ｂは蓋を取り付ける水平軸の取付部、１１ｃは主板部でロックプレートが左右方向に移動可能にとりつけられる。１１ｄはガイド軸ピンの取付孔である。
【００２４】図１４において１２はロックプレートを示す。主板部１２ａには所定長さの横長孔１２ｂが形成されている。１２ｃは把手部で主板部に一体的に形成している。１２ｄは係脱部で主板部１２ａの一端に屈曲形成している。このロックプレートが取付金具にガイド軸ピンを介して左右方向に移動可能にとりつけられる。
【００２５】図１５において１３は蓋を示す。蓋の内面下部に隆起部１３ａを形成している。この隆起部にロックプレートの係脱部が当接係合して蓋の開放、開閉を阻止する。隆起部がなくても蓋の内面にロックプレートの係脱部が位置すれば蓋の開放が阻止される。１３ｂは水平軸の取付部である。
中央に開口を有する本体１５の内面上方部には取付金具に取り付けた水平軸を介して上下方向に回動して上記開口を開閉可能に取り付けられる蓋１３を有している。
【００２６】図１６、図１７は組立状態を示し、図１６は蓋がロックされている状態、図１７は蓋がロックされていない開閉可能の状態である。
中央に開口を有する本体１５の内面上方部には水平軸１３ｃを介して上下方向に回動して上記開口を開閉可能に取り付けられる蓋１３を有している。スプリングは省略している。
この実施例では水平軸は本体の内面上方部に取り付けている取付金具の軸取付部にとりつけている。しかしてこの取付金具１１にロックプレート１２を左右方向に移動可能に取り付けている。ロックプレートの左右方向の移動に対応してロックプレートの係脱部１２ｄが移動し、蓋の内面に係合し、あるいは蓋から外側に離脱する。
【００２７】図１６においてロックプレート１２の係脱部１２ｄが蓋の内面の隆起部１３ａの箇所に移動している。よって蓋の開放が阻止され、ロック状態を保持している。図１７においてロックプレートの係脱部１２ｄが蓋の内面から外れており、蓋は開閉される。
ロックプレートの移動は把手部を持って左右方向にスライドすればよい。１４は２個のガイド軸ピンでロックプレートの横長孔に貫通してロックプレートを取付金具に移動可能に取り付けている。
なおＢの側面図に示すとおり、目隠し２３を取り付ける場合には把手部が目隠しのフランジを貫通して内側に突出している。
【００２８】図１８から図２２はさらに別の実施例を示す。図１８において１６は取付金具、１６ａは取付部、１６ｂは水平軸の取付部、１６ｃは主板部、１６ｄは取付孔である。
図１９において、１７はロックプレート、１７ａは主板部、１７ｂは横長孔、１７ｃは把手部、１７ｄは主板部の一端に屈曲形成している係脱部、１７ｅは後述の連結部材に連結されるかぎ型の連結部である。
図２０において１８はロックプレート、１８ａは主板部、１８ｂは横長孔、１８ｃは主板部の一端に屈曲形成している係脱部、１８ｄは後述の連結部材に連結されるかぎ型の連結部である。図２１において、１９は蓋、１９ａは隆起部でロックプレートの移動によって係脱部が係合する。１９ｂは水平軸の取付部である。
【００２９】図２２は組立状態を示す。スプリングは省略している。取付金具１６に左右方向に対置して取り付けられている一対のロックプレート１７、１８は主板部に所定長さの横長孔を形成し、この主板部の一端に係脱部１７ｄ、１８ｃを屈曲形成しており、このロックプレートの横長孔に嵌入されたガイド軸ピン２０を介して左右方向に移動可能にとりつけられており、さらに上記一対のロックプレートはそれぞれ一端が連結部材２１に連結されており、一方のロックプレートの把手部１７ｃを把手してロックプレートを左右方向に移動することによって連結部材が回転作動して他方のロックプレートが左右方向に移動し、よって係脱部が蓋の内面に係合してもしくは離脱して蓋の開閉を阻止、あるいは可能にする。図示の通り、係脱部の実線は蓋の内面からの離脱を示し、点線は係合を示している。
【００３０】以上本考案の実施例について説明しているが、本考案の技術思想を逸脱しない範囲の設計変更は可能である。一例として最初の実施例のガイド突起の変形例を説明すれば、上記の実施例はロックプレートの横長孔はガイド突起３ｄ（バーリング加工によるねじ部３ｄ）に嵌合され、ロックねじ８を螺合してロックプレートの左右方向のスライド、つまり左右移動を保持しているが、ねじ部３ｄに替えてガイドピンを取付金具の受部３ａに起立してロックプレートの横長孔に嵌入し、ロックねじの頭部に相当するような横長孔の巾より大きめの頭部をとりつければ同様の構成となる。
【符号の説明】
【００３１】１        本体                      ６ｂ      端部当接部
１ａ      開口                      ６ｃ      横長孔
２        蓋                        ６ｄ      係合溝部
２ａ      係合支持部                ６ｅ      取付孔
２ｂ      係合凹部                  ６ｆ      脚片
２ｃ      係合突片                  ７        ロックつまみ
３        取付金具                  ８        ロックねじ
３ａ      受部                      ９        目隠し
３ｂ      取付支持部                ９ａ      フランジ
３ｃ      係合支持部                ９ｂ      横長孔
３ｄ      ガイド突起（ねじ部）      ９ｃ      挿通孔
３ｅ      ねじ部                    １０      ねじボルト
４        水平軸                    １１      取付金具
５        スプリング                １１ａ    取付部
６        ロックプレート            １１ｂ    取付部
６ａ      連結部                    １１ｃ    主板部
１１ｄ    取付孔
１２      ロックプレート
１２ａ    主板部
１２ｂ    横長孔
１２ｃ    把手部
１２ｄ    係脱部
１３      蓋
１３ａ    隆起部
１３ｂ    取付部
１４      ガイド軸ピン
１５      本体
１６      取付金具
１６ａ    取付部
１６ｂ    取付部
１６ｃ    主板部
１６ｄ    取付孔
１７      ロックプレート
１７ａ    主板部
１７ｂ    横長孔
１７ｃ    把手部
１７ｄ    係脱部
１７ｅ    連結部
１８      ロックプレート
１８ａ    主板部
１８ｂ    横長孔
１８ｃ    係脱部
１８ｄ    連結部
１９      蓋
１９ａ    隆起部
１９ｂ    取付部
２０      ガイド軸ピン
２１      連結部材
２２      回転軸
【図１】
0003159395.tif 000003
【図２】
0003159395.tif 000004
【図３】
0003159395.tif 000005
【図４】
0003159395.tif 000006
【図５】
0003159395.tif 000007
【図６】
0003159395.tif 000008
【図７】
0003159395.tif 000009
【図８】
0003159395.tif 000010
【図９】
0003159395.tif 000011
【図１０】
0003159395.tif 000012
【図１１】
0003159395.tif 000013
【図１２】
0003159395.tif 000014
【図１３】
0003159395.tif 000015
【図１４】
0003159395.tif 000016
【図１５】
0003159395.tif 000017
【図１６】
0003159395.tif 000018
【図１７】
0003159395.tif 000019
【図１８】
0003159395.tif 000020
【図１９】
0003159395.tif 000021
【図２０】
0003159395.tif 000022
【図２１】
0003159395.tif 000023
【図２２】
0003159395.tif 000024